(57)【特許請求の範囲】
【請求項１】
径方向片側が開口している断面Ｕ字形状の軸挿入部とピン受け部とを有するヨークと、上記軸挿入部に挿入された軸とを備える軸とヨークの結合構造であって、
上記軸の下側凸曲面または上記軸挿入部の湾曲部の少なくとも一方に埋め込まれた抜け止め用磁石を備え、
上記軸挿入部の湾曲部に上記軸の下側凸曲面が合わさると共に、
上記抜け止め用磁石が、磁力で軸をヨークに引きつけていることを特徴とする軸とヨークの結合構造。
【発明の詳細な説明】
【０００１】
【発明の属する技術分野】
この発明は、自在継手に適用される軸とヨークの結合構造に関する。
【０００２】
【従来の技術】
従来、たとえば、ステアリングジョイントにおける軸とヨークの結合構造では、軸を軸方向にスライドさせてヨーク内に挿入してから、ヨークに径方向に挿通させたボルトを締めて、ヨークと軸を結合させるものがある。
【０００３】
また、軸をヨークに対して軸直角方向から径方向にスライドさせてヨーク内に挿入する軸とヨークの結合構造もある。
【０００４】
ところが、後者の結合構造では、軸をヨーク内に嵌合させた後で、ヨークに締め付けボルトを挿通させるから、このボルトを締め付けるまで、作業者が軸とヨークとの嵌合状態を保持しておく必要があり、作業性が悪いという問題がある。
【０００５】
また、ボルトを締め付けるまでの間に、軸とヨークの軸芯がずれたり傾いたりする恐れもある。
【０００６】
【発明が解決しようとする課題】
そこで、この発明の目的は、作業性が良く、正確な組み付けが可能な軸とヨークの結合構造を提供することにある。
【０００７】
【課題を解決するための手段】
上記目的を達成するため、請求項１の発明の軸とヨークの結合構造は、径方向片側が開口している断面Ｕ字形状の軸挿入部とピン受け部とを有するヨークと、上記軸挿入部に挿入された軸とを備える軸とヨークの結合構造であって、
上記軸の下側凸曲面または上記軸挿入部の湾曲部の少なくとも一方に埋め込まれた抜け止め用磁石を備え、
上記軸挿入部の湾曲部に上記軸の下側凸曲面が合わさると共に、
上記抜け止め用磁石が、磁力で軸をヨークに引きつけていることを特徴としている。
【０００８】
この請求項１の発明では、ヨークの軸挿入部の径方向片側の開口から、軸を径方向にスライドさせて、軸挿入部内に嵌合させる。このとき、上記軸が軸挿入部内の径方向の所定位置に達すると、上記抜け止め用磁石は、磁力で軸をヨークに引きつけて、径方向および軸方向への軸の移動を規制する。
【０００９】
したがって、この発明によれば、作業者が軸から手を離しても、ヨークと軸との所定位置での嵌合状態を維持できる。したがって、作業者は次のボルト締め作業をやり易くなる。また、抜け止め用磁石が、磁力で軸をヨークに引きつけるから、ヨークと軸との径方向の位置決めを確実,正確に行うことができ、軸とヨークとの軸芯ずれを防止することができる。
【００１０】
【発明の実施の形態】
以下、この発明を図示の実施の形態により詳細に説明する。
【００１１】
図１(Ａ),(Ｂ)に、この発明の軸とヨークの結合構造の実施の形態を示す。図１(Ａ)は図１(Ｂ)のＡ−Ａ断面を示す。図１(Ｂ)に示すように、軸１は、全体として略小判形の断面形状になっており、図において径方向上側と下側が凸曲面１Ａ,１Ｂになっている。また、この凸曲面１Ａ,１Ｂが挟む左側と右側が平らな平面１Ｃ,１Ｄになっている。そして、図１(Ｂ)に示すように、この軸１は、上方の凸曲面１Ａにおいて、径方向に延びていて湾状に窪んでいるボルト係合用湾曲凹部５を有している。
【００１２】
一方、図１(Ａ),(Ｂ)に示すように、ヨーク６は、径方向片側が開口している断面略Ｕ字形状の軸挿入部７とピン受け部８からなる。軸挿入部７は、径方向の開口１０を挟む対向部１１,１２に形成されたボルト孔１３,１５を有する。また、軸挿入部７は、対向部１１,１２と湾曲部１６との中間部１７,１８の内、湾曲部１６に軸方向貫通穴２０が形成されており、この軸方向貫通穴２０に抜け止め用磁石２１が嵌め込まれて固定されている。
【００１３】
上記構造の軸１とヨーク６とを結合させるには、まず、図２に示すように、軸１のボルト係合用湾曲凹部５を上にして、軸１をヨーク６の軸挿入部７の開口１０に向かって径方向下方に移動させる。そして、対向部１１と１２の間に軸１を滑り込ませ、中間部１７,１８さらには湾曲部１６に向かって、軸１を挿入していく。そして、図１(Ｂ)に示すように、軸１の下方の凸曲面１Ｂを軸挿入部７の湾曲部１６の内周面１６Ａに密接させたときには、抜け止め用磁石２１が、磁力で軸１をヨーク６の軸挿入部７に引き付けて、径方向および軸方向への軸１の移動を規制する。これにより、作業者が軸１から手を離しても、ヨーク６と軸１との所定位置での嵌合状態を維持できるから、次のボルト孔１３,１５にボルトを挿通させてボルト締めを行う作業がやり易くなる。また、このボルト孔１３,１５にボルトを挿通させたときに、上記ボルトが軸１のボルト係合用湾曲凹部５に軸方向に係合するから、軸１の軸方向への移動を止めることができる。
【００１４】
また、上記抜け止め用磁石２１が軸１をヨーク６に引きつけるから、ヨーク６と軸１との径方向の位置決めを確実,正確に行うことができ、軸１とヨーク６との軸芯ずれを防止できる。
【００１５】
尚、上記実施形態では、ヨーク６の軸挿入部７の湾曲部１６に抜け止め用磁石２１を埋め込んだ。軸１の径方向上方への移動を止めるには、図１(Ｂ)に示すように、磁石２１を湾曲部１６の最下部に埋め込むのが最適である。また、ヨーク６ではなく、軸１の下側凸曲面１Ｂに磁石を埋め込んでも良い。さらには、軸１とヨーク６の両方に互いに引き合う磁石を埋め込んでも良い。もっとも、軸１に磁石を埋め込むよりは、ヨーク６に磁石を埋め込んだ方が強度的に優れた構造となる。
【００１６】
【発明の効果】
以上より明らかなように、請求項１の発明の軸とヨークの結合構造は、径方向片側が開口している断面Ｕ字形状の軸挿入部とピン受け部とを有するヨークと、上記軸挿入部に挿入された軸とを備える軸とヨークの結合構造であって、上記軸の下側凸曲面または上記軸挿入部の湾曲部の少なくとも一方に埋め込まれた抜け止め用磁石を備え、上記軸挿入部の湾曲部に上記軸の下側凸曲面が合わさっている。
【００１７】
この請求項１の発明では、ヨークの軸挿入部の径方向片側の開口から、軸を径方向にスライドさせて、軸が軸挿入部内の径方向の所定位置に達すると、抜け止め用磁石は磁力で軸をヨークに引きつけて、径方向および軸方向への軸の移動を規制する。したがって、この発明によれば、作業者が軸から手を離しても、ヨークと軸との所定位置での嵌合状態を維持できるから、次のボルト締め作業をやり易くなる。また、抜け止め用磁石が、磁力で軸をヨークに引きつけるから、ヨークと軸との径方向の位置決めを確実,正確に行うことができ、軸とヨークとの軸芯ずれを防止できる。
【図面の簡単な説明】
【図１】図１(Ａ)はこの発明の軸とヨークの結合構造の実施の形態を構成するヨーク６の側断面図であり、図１(Ｂ)はヨーク６を軸方向に見た様子を示す図である。
【図２】上記実施の形態において、ヨーク６に軸１を嵌合させる様子を示す斜視図である。
【符号の説明】
１…軸、１Ａ,１Ｂ…凸曲面、１Ｃ,１Ｄ…平面、３…開口、
５…ボルト係合用湾曲凹部、６…ヨーク、７…軸挿入部、
８…ピン受け部、１０…開口、１１,１２…対向部、１３,１５…ボルト孔、
１６…湾曲部、１７,１８…中間部、
２０…軸方向貫通穴、２１…磁石。
【図１】
0003540670.tif 000002
【図２】
0003540670.tif 000003